(57)【要約】  本願の実施例は、ＳＲＳに対して合理的な電力制御を行うことができる無線通信方法及びデバイスを提供する。当該方法は、サウンディング基準信号ＳＲＳリソースグループに対応する第１の上り信号、第１の下り信号、第１のビーム又は第１のビームペアに基づいて、前記ＳＲＳリソースグループ内のＳＲＳリソースに対する目標パスロス値を決定することと、前記目標パスロス値に基づいて、前記ＳＲＳリソースグループ内のＳＲＳリソースに対する目標送信電力を決定することと、前記目標送信電力に応じて、前記ＳＲＳリソースグループ内のＳＲＳリソースにおいて、ネットワークデバイスにＳＲＳを送信することとを含む。
2020522160.tif 000002
【特許請求の範囲】
【請求項１】
サウンディング基準信号ＳＲＳリソースグループに対応する第１の上り信号、第１の下り信号、第１のビーム又は第１のビームペアに基づいて、前記ＳＲＳリソースグループ内のＳＲＳリソースに対する目標パスロス値を決定することと、
前記目標パスロス値に基づいて、前記ＳＲＳリソースグループ内のＳＲＳリソースに対する目標送信電力を決定することと、
前記目標送信電力に応じて、前記ＳＲＳリソースグループ内のＳＲＳリソースにおいて、ネットワークデバイスにＳＲＳを送信することとを含む。
ことを特徴とする無線通信方法。
【請求項２】
前記ＳＲＳリソースグループ内のＳＲＳリソースに対する目標パスロス値を決定することは、
前記ＳＲＳリソースグループ内のＳＲＳリソースに対する同じ目標パスロス値を決定することを含む
ことを特徴とする請求項１に記載の無線通信方法。
【請求項３】
前記サウンディング基準信号ＳＲＳリソースグループに対応する第１の上り信号、第１の下り信号、第１のビーム又は第１のビームペアに基づいて、前記ＳＲＳリソースグループ内のＳＲＳリソースに対する目標パスロス値を決定することは、
同じ前記第１の上り信号、前記第１の下り信号、前記第１のビーム又は前記第１のビームペアに基づいて、前記ＳＲＳリソースグループ内のＳＲＳリソースに対する前記目標パスロス値を決定することを含む
ことを特徴とする請求項１又は２に記載の無線通信方法。
【請求項４】
前記ＳＲＳリソースグループ内のＳＲＳリソースに対する目標送信電力を決定することは、
前記ＳＲＳリソースグループ内のＳＲＳリソースに対する同じ目標送信電力を決定することを含む
ことを特徴とする請求項１〜３のいずれか１項に記載の無線通信方法。
【請求項５】
前記サウンディング基準信号ＳＲＳリソースグループに対応する第１の上り信号、第１の下り信号、第１のビーム又は第１のビームペアに基づいて、前記ＳＲＳリソースグループ内のＳＲＳリソースに対する目標パスロス値を決定する前に、前記方法は、さらに、
前記ネットワークデバイスの第１の指示情報を受信することを含み、前記第１の指示情報は、前記ＳＲＳリソースグループに対応する前記第１の上り信号、前記第１の下り信号、前記第１のビーム又は前記第１のビームペアを示し、又は、前記第１の上り信号を搬送するためのリソース、前記第１の下り信号を搬送するためのリソース、又は前記第１のビーム又は前記第１のビームを利用して信号の送受信を行うためのリソースを示す
ことを特徴とする請求項１〜４のいずれか１項に記載の無線通信方法。
【請求項６】
前記サウンディング基準信号ＳＲＳリソースグループに対応する第１の上り信号、第１の下り信号、第１のビーム又は第１のビームペアに基づいて、前記ＳＲＳリソースグループ内のＳＲＳリソースに対する目標パスロス値を決定する前に、前記方法は、さらに、
第１の所定の関係に基づいて、前記ＳＲＳリソースグループに対応する前記第１の上り信号、前記第１の下り信号、前記第１のビーム又は前記第１のビームペアを確定することを含む
ことを特徴とする請求項１〜４のいずれか１項に記載の無線通信方法。
【請求項７】
前記第１の上り信号は、ＳＲＳ、物理上り共有チャネルＰＵＳＣＨ、物理上り制御チャネルＰＵＣＣＨ、物理ランダムアクセスチャネルＰＲＡＣＨ、復調基準信号ＤＭＲＳ又は位相トラッキング基準信号ＰＴＲＳである
ことを特徴とする請求項１〜６のいずれか１項に記載の無線通信方法。
【請求項８】
前記上り信号は、前記ＳＲＳリソースグループ内の１つのＳＲＳリソースで伝送されるＳＲＳであり、
又は、
前記上り信号は、最も近く受信されたＳＲＳリソース指示情報が示すＳＲＳリソースで伝送されるＳＲＳである
ことを特徴とする請求項１〜７のいずれか１項に記載の無線通信方法。
【請求項９】
前記サウンディング基準信号ＳＲＳリソースグループに対応する第１の上り信号、第１の下り信号、第１のビーム又は第１のビームペアに基づいて、前記ＳＲＳリソースグループ内のＳＲＳリソースに対する目標パスロス値を決定することは、
前記第１の上り信号の送信電力を計算する時に使用するパスロス値を、前記目標パスロス値として決定することを含む
ことを特徴とする請求項１〜８のいずれか１項に記載の無線通信方法。
【請求項１０】
前記サウンディング基準信号ＳＲＳリソースグループに対応する第１の上り信号、第１の下り信号、第１のビーム又は第１のビームペアに基づいて、前記ＳＲＳリソースグループ内のＳＲＳリソースに対する目標パスロス値を決定することは、
前記第１の上り信号、前記第１のビーム又は前記第１のビームペアに関連する第２の下り信号に基づいて、下りパスロス推定を行って前記目標パスロス値を取得することを含む
ことを特徴とする請求項１〜８のいずれか１項に記載の無線通信方法。
【請求項１１】
前記第１の上り信号、前記第１のビーム又は前記第１のビームペアに関連する第２の下り信号に基づいて、下りパスロス推定を行って前記目標パスロス値を取得する前に、前記方法は、さらに、
前記ネットワークデバイスにより送信された第２の指示情報を受信することを含み、前記第２の指示情報は、前記第１の上り信号、前記第１のビーム又は前記第１のビームと前記第２の下り信号との関連関係を示す
ことを特徴とする請求項１０に記載の無線通信方法。
【請求項１２】
前記第１の上り信号、前記第１のビーム又は前記第１のビームペアに関連する第２の下り信号に基づいて、下りパスロス推定を行って前記目標パスロス値を取得する前に、前記方法は、さらに、
第２の所定の関係に基づいて、前記第１の上り信号、前記第１のビーム又は前記第１のビームペアに関連する下り信号を前記第２の下り信号として決定することを含む
ことを特徴とする請求項１０又は１１に記載の無線通信方法。
【請求項１３】
前記第１の上り信号、前記第１のビーム又は前記第１のビームペアに関連する第２の下り信号に基づいて、下りパスロス推定を行って前記目標パスロス値を取得することは、
前記第２の下り信号の受信電力と送信電力に基づいて、第１のパスロス値を取得することと、
前記第１のパスロス値を、前記目標パスロス値として決定することとを含む
ことを特徴とする請求項１０〜１２のいずれか１項に記載の無線通信方法。
【請求項１４】
前記第１の下り信号は、ＣＳＩ−ＲＳ、同期信号、同期信号ブロック、時間周波数同期基準信号ＴＲＳ、位相トラッキング基準信号ＰＴＲＳ、物理下り共有チャネルＰＤＳＣＨ、物理下り制御チャネルＰＤＣＣＨ又はＤＭＲＳである
ことを特徴とする請求項１〜６のいずれか１項に記載の無線通信方法。
【請求項１５】
ＳＲＳリソースグループに対応する第１の上り信号、第１の下り信号、第１のビーム又は第１のビームペアに基づいて、前記ＳＲＳリソースグループ内のＳＲＳリソースに対する目標パスロス値を決定することは、
前記第１の下り信号の受信電力と送信電力に基づいて、第２のパスロス値を取得することと、
前記第２のパスロス値を前記目標パスロス値として決定することとを含む
ことを特徴とする請求項１〜６、１４のいずれか１項に記載の無線通信方法。
【請求項１６】
前記目標パスロス値が下りパスロス値であり、前記目標パスロス値に基づいて、前記ＳＲＳリソースグループ内のＳＲＳリソースに対する目標送信電力を決定することは、
前記下りパスロス値に基づいて、上りパスロス値を推定して取得することと、
前記上りパスロス値に基づいて、前記目標送信電力を決定することとを含む
ことを特徴とする請求項１〜１５のいずれか１項に記載の無線通信方法。
【請求項１７】
前記ＳＲＳリソースグループが複数のＳＲＳリソースを含み、前記目標送信電力に応じて、前記ＳＲＳリソースグループ内のＳＲＳリソースにおいて、ネットワークデバイスにＳＲＳをそれぞれ送信することは、
前記目標送信電力に応じて、前記ＳＲＳリソースグループ内の異なるＳＲＳリソースにおいて、異なる送信ビームを利用して、前記ネットワークデバイスにＳＲＳをそれぞれ送信することを含む
ことを特徴とする請求項１〜１６のいずれか１項に記載の無線通信方法。
【請求項１８】
前記ＳＲＳリソースグループは、上りビーム管理に使用するＳＲＳリソースグループである
ことを特徴とする請求項１〜１７のいずれか１項に記載の無線通信方法。
【請求項１９】
前記ＳＲＳリソースグループは、１つの非周期ＳＲＳトリガシグナリングによりトリガされる１つのグループの非周期ＳＲＳの伝送を搬送する、又は、
前記ＳＲＳリソースグループは、１つの永続的ＳＲＳアクティブ化シグナリングによりアクティブ化された１つのグループの永続的ＳＲＳの伝送を搬送する
ことを特徴とする請求項１〜１８のいずれか１項に記載の無線通信方法。
【請求項２０】
処理ユニット及び通信ユニットを含む端末デバイスであって、
前記処理ユニットは、サウンディング基準信号ＳＲＳリソースグループに対応する第１の上り信号、第１の下り信号、第１のビーム又は第１のビームペアに基づいて、前記ＳＲＳリソースグループ内のＳＲＳリソースに対する目標パスロス値を決定し、前記目標パスロス値に基づいて、前記ＳＲＳリソースグループ内のＳＲＳリソースに対する目標送信電力を決定するように構成され、
前記通信ユニットは、前記目標送信電力に応じて、前記ＳＲＳリソースグループ内のＳＲＳリソースにおいて、ネットワークデバイスにＳＲＳを送信するように構成される
ことを特徴とする端末デバイス。
【請求項２１】
前記処理ユニットは、さらに、
前記ＳＲＳリソースグループ内のＳＲＳリソースに対する同じ目標パスロス値を決定するように構成される
ことを特徴とする請求項２０に記載の端末デバイス。
【請求項２２】
前記処理ユニットは、さらに、
同じ前記第１の上り信号、前記第１の下り信号、前記第１のビーム又は前記第１のビームペアに基づいて、前記ＳＲＳリソースグループ内のＳＲＳリソースに対する前記目標パスロス値を決定するように構成される
ことを特徴とする請求項２０又は２１に記載の端末デバイス。
【請求項２３】
前記処理ユニットは、さらに、
前記ＳＲＳリソースグループ内のＳＲＳリソースに対する同じ目標送信電力を決定するように構成される
ことを特徴とする請求項２０〜２２のいずれか１項に記載の端末デバイス。
【請求項２４】
前記通信ユニットは、さらに、
前記ネットワークデバイスの第１の指示情報を受信するように構成され、
前記第１の指示情報は、前記ＳＲＳリソースグループに対応する前記第１の上り信号、前記第１の下り信号、前記第１のビーム又は前記第１のビームペアを示し、又は、前記第１の上り信号を搬送するためのリソース、前記第１の下り信号を搬送するためのリソース、又は前記第１のビーム又は前記第１のビームを利用して信号の送受信を行うためのリソースを示す
ことを特徴とする請求項２０〜２３のいずれか１項に記載の端末デバイス。
【請求項２５】
前記処理ユニットは、さらに、
第１の所定の関係に基づいて、前記ＳＲＳリソースグループに対応する前記第１の上り信号、前記第１の下り信号、前記第１のビーム又は前記第１のビームペアを確定するように構成される
ことを特徴とする請求項２０〜２３のいずれか１項に記載の端末デバイス。
【請求項２６】
前記第１の上り信号は、ＳＲＳ、物理上り共有チャネルＰＵＳＣＨ、物理上り制御チャネルＰＵＣＣＨ、物理ランダムアクセスチャネルＰＲＡＣＨ、復調基準信号ＤＭＲＳ又は位相トラッキング基準信号ＰＴＲＳである
ことを特徴とする請求項２０〜２５のいずれか１項に記載の端末デバイス。
【請求項２７】
前記上り信号は、前記ＳＲＳリソースグループ内の１つのＳＲＳリソースで伝送されるＳＲＳであり、又は、
前記上り信号は、最も近く受信されたＳＲＳリソース指示情報が示すＳＲＳリソースで伝送されるＳＲＳである
ことを特徴とする請求項２０〜２６のいずれか１項に記載の端末デバイス。
【請求項２８】
前記処理ユニットは、さらに、
前記第１の上り信号の送信電力を計算する時に使用するパスロス値を、前記目標パスロス値として決定するように構成される
ことを特徴とする請求項２０〜２７のいずれか１項に記載の端末デバイス。
【請求項２９】
前記処理ユニットは、さらに、
前記第１の上り信号、前記第１のビーム又は前記第１のビームペアに関連する第２の下り信号に基づいて、下りパスロス推定を行って前記目標パスロス値を取得するように構成される
ことを特徴とする請求項２０〜２７のいずれか１項に記載の端末デバイス。
【請求項３０】
前記通信ユニットは、さらに、
前記ネットワークデバイスにより送信された第２の指示情報を受信するように構成され、
前記第２の指示情報は、前記第１の上り信号、前記第１のビーム又は前記第１のビームと前記第２の下り信号との関連関係を示す
ことを特徴とする請求項２９に記載の端末デバイス。
【請求項３１】
前記処理ユニットは、さらに、
第２の所定の関係に基づいて、前記第１の上り信号、前記第１のビーム又は前記第１のビームペアに関連する下り信号を前記第２の下り信号として決定するように構成される
ことを特徴とする請求項２９又は３０に記載の端末デバイス。
【請求項３２】
前記処理ユニットは、さらに、
前記第２の下り信号の受信電力と送信電力に基づいて、第１のパスロス値を取得し、前記第１のパスロス値を、前記目標パスロス値として決定するように構成される
ことを特徴とする請求項２９〜３１のいずれか１項に記載の端末デバイス。
【請求項３３】
前記第１の下り信号は、ＣＳＩ−ＲＳ、同期信号、同期信号ブロック、時間周波数同期基準信号ＴＲＳ、位相トラッキング基準信号ＰＴＲＳ、物理下り共有チャネルＰＤＳＣＨ、物理下り制御チャネルＰＤＣＣＨ又はＤＭＲＳである
ことを特徴とする請求項２０〜２５のいずれか１項に記載の端末デバイス。
【請求項３４】
前記処理ユニットは、さらに、
前記第１の下り信号の受信電力と送信電力に基づいて、第２のパスロス値を取得し、前記第２のパスロス値を前記目標パスロス値として決定するように構成される
ことを特徴とする請求項２０〜２５、３３のいずれか１項に記載の端末デバイス。
【請求項３５】
前記処理ユニットは、さらに、
前記下りパスロス値に基づいて、上りパスロス値を推定して取得し、
前記上りパスロス値に基づいて、前記目標送信電力を決定するように構成される
ことを特徴とする請求項２０〜３４のいずれか１項に記載の端末デバイス。
【請求項３６】
前記通信ユニットは、さらに、
前記目標送信電力に応じて、前記ＳＲＳリソースグループ内の異なるＳＲＳリソースにおいて、異なる送信ビームを利用して、前記ネットワークデバイスにＳＲＳをそれぞれ送信するように構成される
ことを特徴とする請求項２０〜３５のいずれか１項に記載の端末デバイス。
【請求項３７】
前記ＳＲＳリソースグループは、上りビーム管理に使用するＳＲＳリソースグループである
ことを特徴とする請求項２０〜３６のいずれか１項に記載の端末デバイス。
【請求項３８】
前記ＳＲＳリソースグループは、１つの非周期ＳＲＳトリガシグナリングによりトリガされる１つのグループの非周期ＳＲＳの伝送を搬送する、又は、
前記ＳＲＳリソースグループは、１つの永続的ＳＲＳアクティブ化シグナリングによりアクティブ化された１つのグループの永続的ＳＲＳの伝送を搬送する
ことを特徴とする請求項２０〜３７のいずれか１項に記載の端末デバイス。
【発明の詳細な説明】
【技術分野】
【０００１】
本願は、通信分野に関し、具体的に、無線通信方法及びデバイスに関する。
【背景技術】
【０００２】
ＮＲ( Ｎｅｗ Ｒａｄｉｏ、)システムでは、サウンディング基準信号( Ｓｏｕｎｄｉｎｇ Ｒｅｆｅｒｅｎｃｅ Ｓｉｇｎａｌ、ＳＲＳ )に基づいて、上りビーム管理が行われ、送信ビーム管理および受信ビーム管理を含む。送信ビーム管理において、端末デバイスは、複数のＳＲＳリソース上で異なるビームを用いてＳＲＳを送信し、ネットワーク側は、複数のＳＲＳリソース上での受信信号強度に基づいて、ＳＲＳリソースを少なくとも１つ選択して端末に指示し、端末にそのＳＲＳリソースに対応するビームを用いてデータを伝送する。受信ビーム管理において、端末は、１つまたは複数のＳＲＳリソース上で同じビームを用いてＳＲＳを送信し、ネットワーク側は、異なる受信ビームに基づいて複数のＳＲＳリソース上のＳＲＳ信号を受信し、受信信号強度に基づいてデータを受信するための受信ビームを選択する。
【０００３】
ＳＲＳ信号の送信電力の選択は、ビーム管理において受信ビームと送信ビームの選択に重要な影響を与える。
【０００４】
従って、ＳＲＳ信号を如何に電力制御するかが大きな課題となっている。
【発明の概要】
【０００５】
本願の実施例は、ＳＲＳの合理的な電力制御を可能にする無線通信方法及びデバイスを提供する。
【０００６】
第１の形態は、無線通信方法を提供し、包括：
サウンディング基準信号ＳＲＳリソースグループに対応する第１の上り信号、第１の下り信号、第１のビーム又は第１のビームペアに基づいて、前記ＳＲＳリソースグループ内のＳＲＳリソースに対する目標パスロス値を決定することと、
前記目標パスロス値に基づいて、前記ＳＲＳリソースグループ内のＳＲＳリソースに対する目標送信電力を決定することと、
前記目標送信電力に応じて、前記ＳＲＳリソースグループ内のＳＲＳリソースにおいて、ネットワークデバイスにＳＲＳを送信することとを含む。
【０００７】
第１の形態と結合し、第１の形態の実現可能な方式において、前記ＳＲＳリソースグループ内のＳＲＳリソースに対する目標パスロス値を決定することは、
前記ＳＲＳリソースグループ内のＳＲＳリソースに対する同じ目標パスロス値を決定することを含む。
【０００８】
第１の形態又は上記の実現可能な方式と結合し、第１の形態の他の実現可能な方式において、前記サウンディング基準信号ＳＲＳリソースグループに対応する第１の上り信号、第１の下り信号、第１のビーム又は第１のビームペアに基づいて、前記ＳＲＳリソースグループ内のＳＲＳリソースに対する目標パスロス値を決定することは、
同じ前記第１の上り信号、前記第１の下り信号、前記第１のビーム又は前記第１のビームペアに基づいて、前記ＳＲＳリソースグループ内のＳＲＳリソースに対する前記目標パスロス値を決定することを含む。
【０００９】
第１の形態又は上記の実現可能な方式と結合し、第１の形態の他の実現可能な方式において、前記ＳＲＳリソースグループ内のＳＲＳリソースに対する目標送信電力を決定することは、
前記ＳＲＳリソースグループ内のＳＲＳリソースに対する同じ目標送信電力を決定することを含む。
【００１０】
第１の形態又は上記の実現可能な方式と結合し、第１の形態の他の実現可能な方式において、前記サウンディング基準信号ＳＲＳリソースグループに対応する第１の上り信号、第１の下り信号、第１のビーム又は第１のビームペアに基づいて、前記ＳＲＳリソースグループ内のＳＲＳリソースに対する目標パスロス値を決定する前に、前記は、
前記ネットワークデバイスの第１の指示情報を受信することを含み、前記第１の指示情報は、前記ＳＲＳリソースグループに対応する前記第１の上り信号、前記第１の下り信号、前記第１のビーム又は前記第１のビームペアを示し、又は、前記第１の上り信号を搬送するためのリソース、前記第１の下り信号を搬送するためのリソース、又は前記第１のビーム又は前記第１のビームを利用して信号の送受信を行うためのリソースを示す。
【００１１】
第１の形態又は上記の実現可能な方式と結合し、第１の形態の他の実現可能な方式において、前記サウンディング基準信号ＳＲＳリソースグループに対応する第１の上り信号、第１の下り信号、第１のビーム又は第１のビームペアに基づいて、前記ＳＲＳリソースグループ内のＳＲＳリソースに対する目標パスロス値を決定する前に、前記方法は、
第１の所定の関係に基づいて、前記ＳＲＳリソースグループに対応する前記第１の上り信号、前記第１の下り信号、前記第１のビーム又は前記第１のビームペアを確定することを含む。
【００１２】
第１の形態又は上記の実現可能な方式と結合し、第１の形態の他の実現可能な方式において、前記第１の上り信号は、ＳＲＳ、物理上り共有チャネル（Ｐｈｙｓｉｃａｌ Ｕｐｌｉｎｋ Ｓｈａｒｅｄ Ｃｈａｎｎｅｌ、ＰＵＳＣＨ）、物理上り制御チャネル(Ｐｈｙｓｉｃａｌ Ｕｐｌｉｎｋ Ｃｏｎｔｒｏｌ Ｃｈａｎｎｅｌ、ＰＵＣＣＨ)、物理ランダムアクセスチャネル（Ｐｈｙｓｉｃａｌ Ｒａｎｄｏｍ Ａｃｃｅｓｓ Ｃｈａｎｎｅｌ、ＰＲＡＣＨ）、復調基準信号（Ｄｅｍｏｄｕｌａｔｉｏｎ Ｒｅｆｅｒｅｎｃｅ Ｓｉｇｎａｌ、ＤＭＲＳ)又は位相トラッキング基準信号（Ｐｈａｓｅ Ｔｒａｃｋｉｎｇ Ｒｅｆｅｒｅｎｃｅ Ｓｉｇｎａｌ、ＰＴＲＳ）である。
【００１３】
第１の形態又は上記の実現可能な方式と結合し、第１の形態の他の実現可能な方式において、前記上り信号は、前記ＳＲＳリソースグループ内の１つのＳＲＳリソースで伝送されるＳＲＳであり、又は、
前記上り信号は、最も近く受信されたＳＲＳリソース指示情報が示すＳＲＳリソースで伝送されるＳＲＳである。
【００１４】
第１の形態又は上記の実現可能な方式と結合し、第１の形態の他の実現可能な方式において、前記サウンディング基準信号ＳＲＳリソースグループに対応する第１の上り信号、第１の下り信号、第１のビーム又は第１のビームペアに基づいて、前記ＳＲＳリソースグループ内のＳＲＳリソースに対する目標パスロス値を決定することは、
前記第１の上り信号の送信電力を計算する時に使用するパスロス値を、前記目標パスロス値として決定することを含む。
【００１５】
第１の形態又は上記の実現可能な方式と結合し、第１の形態の他の実現可能な方式において、前記サウンディング基準信号ＳＲＳリソースグループに対応する第１の上り信号、第１の下り信号、第１のビーム又は第１のビームペアに基づいて、前記ＳＲＳリソースグループ内のＳＲＳリソースに対する目標パスロス値を決定することは、
前記第１の上り信号、前記第１のビーム又は前記第１のビームペアに関連する第２の下り信号に基づいて、下りパスロス推定を行って前記目標パスロス値を取得することを含む。
【００１６】
第１の形態又は上記の実現可能な方式と結合し、第１の形態の他の実現可能な方式において、前記第１の上り信号、前記第１のビーム又は前記第１のビームペアに関連する第２の下り信号に基づいて、下りパスロス推定を行って前記目標パスロス値を取得する前に、前記方法は、さらに、
前記ネットワークデバイスにより送信された第２の指示情報を受信することを含み、前記第２の指示情報は、前記第１の上り信号、前記第１のビーム又は前記第１のビームと前記第２の下り信号との関連関係を示す。
【００１７】
第１の形態又は上記の実現可能な方式と結合し、第１の形態の他の実現可能な方式において、前記第１の上り信号、前記第１のビーム又は前記第１のビームペアに関連する第２の下り信号に基づいて、下りパスロス推定を行って前記目標パスロス値を取得する前に、前記方法は、さらに、
第２の所定の関係に基づいて、前記第１の上り信号、前記第１のビーム又は前記第１のビームペアに関連する下り信号を前記第２の下り信号として決定することを含む。
【００１８】
第１の形態又は上記の実現可能な方式と結合し、第１の形態の他の実現可能な方式において、前記第１の上り信号、前記第１のビーム又は前記第１のビームペアに関連する第２の下り信号に基づいて、下りパスロス推定を行って前記目標パスロス値を取得することは、
前記第２の下り信号の受信電力と送信電力に基づいて、第１のパスロス値を取得することと、
前記第１のパスロス値を、前記目標パスロス値として決定することとを含む。
【００１９】
第１の形態又は上記の実現可能な方式と結合し、第１の形態の他の実現可能な方式において、前記第１の下り信号は、（Ｃｈａｎｎｅｌ Ｓｔａｔｅ Ｉｎｆｏｒｍａｔｉｏｎ Ｒｅｆｅｒｅｎｃｅ Ｉｎｆｏｒｍａｔｉｏｎ、ＣＳI-ＲＳ）、同期信号（ Ｓｙｎｃｈｒｏｎｉｚａｔｉｏｎ Ｓｉｇｎａｌ、ＳＳ）、同期信号ブロック（ＳＳ ＢＬＯＣＫ）、時間周波数同期基準信号（Ｔｉｍｅ−ｆｒｅｑｕｅｎｃｙ Ｔｒａｃｋｉｎｇ  Ｒｅｆｅｒｅｎｃｅ  Ｓｉｇｎａｌ、ＴＲＳ）、ＰＴＲＳ、物理下り共有チャネル（Ｐｈｙｓｉｃａｌ Ｄｏｗｎｌｉｎｋ Ｓｈａｒｅｄ Ｃｈａｎｎｅｌ、ＰＤＳＣＨ）、物理下り制御チャネル（Ｐｈｙｓｉｃａｌ Ｄｏｗｎｌｉｎｋ Ｃｏｎｔｒｏｌ Ｃｈａｎｎｅｌ、ＰＤＣＣＨ）又はＤＭＲＳである。 
第１の形態又は上記の実現可能な方式と結合し、第１の形態の他の実現可能な方式において、ＳＲＳリソースグループに対応する第１の上り信号、第１の下り信号、第１のビーム又は第１のビームペアに基づいて、前記ＳＲＳリソースグループ内のＳＲＳリソースに対する目標パスロス値を決定することは、
前記第１の下り信号の受信電力と送信電力に基づいて、第２のパスロス値を取得することと、
前記第２のパスロス値を前記目標パスロス値として決定することとを含む。
【００２０】
第１の形態又は上記の実現可能な方式と結合し、第１の形態の他の実現可能な方式において、前記目標パスロス値が下りパスロス値であり、前記目標パスロス値に基づいて、前記ＳＲＳリソースグループ内のＳＲＳリソースに対する目標送信電力を決定することは、
前記下りパスロス値に基づいて、上りパスロス値を推定して取得することと、
前記上りパスロス値に基づいて、前記目標送信電力を決定することとを含む。
【００２１】
第１の形態又は上記の実現可能な方式と結合し、第１の形態の他の実現可能な方式において、前記ＳＲＳリソースグループが複数のＳＲＳリソースを含み、前記目標送信電力に応じて、前記ＳＲＳリソースグループ内のＳＲＳリソースにおいて、ネットワークデバイスにＳＲＳをそれぞれ送信することは、
前記目標送信電力に応じて、前記ＳＲＳリソースグループ内の異なるＳＲＳリソースにおいて、異なる送信ビームを利用して、前記ネットワークデバイスにＳＲＳをそれぞれ送信することを含む。
【００２２】
第１の形態又は上記の実現可能な方式と結合し、第１の形態の他の実現可能な方式において、前記ＳＲＳリソースグループは、上りビーム管理に使用するＳＲＳリソースグループである。
【００２３】
第１の形態又は上記の実現可能な方式と結合し、第１の形態の他の実現可能な方式において、前記ＳＲＳリソースグループは、１つの非周期ＳＲＳトリガシグナリングによりトリガされる１つのグループの非周期ＳＲＳの伝送を搬送し、又は、
前記ＳＲＳリソースグループは、１つの永続的ＳＲＳアクティブ化シグナリングによりアクティブ化された１つのグループの永続的ＳＲＳの伝送を搬送する。
【００２４】
第２の形態は、上記の第１の形態または第１の形態の任意の可能な実装における方法を実行するための端末デバイスを提供する。具体的には、端末デバイスは、上記の第１の形態または第１の形態の任意の可能な実施例における方法を実行するための機能モジュールを含む。
【００２５】
第３の形態は、プロセッサと、メモリと、トランシーバとを含む端末デバイスが提供される。プロセッサ、メモリ、およびトランシーバは、内部接続経路を介して互いに通信し、制御信号および／またはデータ信号を通信し、ネットワークデバイスに、上記の第１の形態または第１の形態の可能な実施例のいずれかにおける方法を実行させる。
【００２６】
第４の形態は、上記の第１の形態または第１の形態の任意の可能な実装を実行するための命令を含むコンピュータプログラムを記憶するためのコンピュータ可読媒体を提供する。
【００２７】
第５の形態は、命令を含むコンピュータプログラム製品を提供し、コンピュータプログラム製品は、コンピュータ上で実行されると、コンピュータに、上述の第１の形態または第１の形態の任意の実施態様における方法を実行させる。
【００２８】
そして、本願の実施例において、端末デバイスがＳＲＳリソースグループに対応する第１の上り信号、第１の下り信号、第１のビーム或第１のビームペアに基づいて、前記ＳＲＳリソースグループ内のＳＲＳリソースに対する目標パスロス値を決定し、前記目標パスロス値に基づいて、前記ＳＲＳリソースグループ内のＳＲＳリソースに対する目標送信電力を決定することで、適合の送信電力を選択してＳＲＳの送信を行うことができる。
【図面の簡単な説明】
【００２９】
本開示の上記および他の特徴およびメリットは、添付の図面を参照して詳細に説明する例示的な実施例により、より明らかになる。なお、以下の記載における図面はただ本発明の一部の実施例に過ぎず、当業者の場合、創造的な労働を付与しない前提で、これらの図面によって他の図面を得ることができる。
【図１】本願の実施例における無線通信システムの模式図である。
【図２】本願の実施例における無線通信方法のフローチャートである。
【図３】本願の実施例における端末デバイスのブロック図である。
【図４】本願の実施例におけるシステムチップのブロック図である。
【図５】本願の実施例における通信デバイスのブロック図である。
【発明を実施するための形態】
【００３０】
以下、本発明の実施の形態について図面を参照して説明するが、本発明は、この実施の形態に限定されるものではなく、本発明の技術的思想に基づく各種の変形が可能である。本出願における実施例に基づいて、当業者が創造的な労働をすることなく得られる全ての他の実施例は、本出願の保護範囲に属する。
【００３１】
本願の実施例の技術的解決策は、例えば、グローバル移動通信( Ｇｌｏｂａｌ Ｓｙｓｔｅｍ ｏｆ Ｍｏｂｉｌｅ Ｃｏｍｍｕｎｉｃａｔｉｏｎ：ＧＳＭ )システム、符号分割多元接続( Ｃｏｄｅ Ｄｉｖｉｓｉｏｎ Ｍｕｌｔｉｐｌｅ Ａｃｃｅｓｓ：ＣＤＭＡ )システム、広帯域符号分割多元接続( Ｗｉｄｅｂａｎｄ Ｃｏｄｅ Ｄｉｖｉｓｉｏｎ Ｍｕｌｔｉｐｌｅ Ａｃｃｅｓｓ：ＷＣＤＭＡ )システム、汎用パケット無線サービス( Ｇｅｎｅｒａｌ Ｐａｃｋｅｔ Ｒａｄｉｏ Ｓｅｒｖｉｃｅ：ＧＰＲＳ )、ロングタームエボリューション( Ｌｏｎｇ Ｔｅｒｍ Ｅｖｏｌｕｔｉｏｎ：ＬＴＥ )システム、ＬＴＥ周波数分割複信( Ｆｒｅｑｕｅｎｃｙ Ｄｉｖｉｓｉｏｎ Ｄｕｐｌｅｘ：ＦＤＤ )システム、ＬＴＥ時分割複信( Ｔｉｍｅ Ｄｉｖｉｓｉｏｎ Ｄｕｐｌｅｘ：ＴＤＤ )、汎用移動通信システム( Ｕｎｉｖｅｒｓａｌ Ｍｏｂｉｌｅ Ｔｅｌｅｃｏｍｍｕｎｉｃａｔｉｏｎ Ｓｙｓｔｅｍ：ＵＭＴＳ )、又はグローバル相互接続マイクロ波アクセス( Ｗｏｒｌｄｗｉｄｅ Ｉｎｔｅｒｏｐｅｒａｂｉｌｉｔｙ ｆｏｒ Ｍｉｃｒｏｗａｖｅ Ａｃｃｅｓｓ：ＷｉＭＡＸ )通信システム、及び将来生じ得る５Ｇ（Ｎｅｗ Ｒａｄｉｏ：ＮＲ）システムに適用され得ることが理解されるべきである。
【００３２】
図１は、本願の実施例が適用される無線通信システム１００を示す。無線通信システム１００は、ネットワークデバイス１１０を含み得る。ネットワークデバイス１００は、端末デバイスと通信するデバイスであってもよい。ネットワークデバイス１００は、特定の地理的エリアに通信カバレッジを提供し、カバレッジエリア内に配置されたＵＥなどの端末デバイスと通信し得る。任意選択で、ネットワークデバイス１００は、ＧＳＭシステムまたはＣＤＭＡシステムにおける基地局( Ｂａｓｅ Ｔｒａｎｓｃｅｉｖｅｒ Ｓｔａｔｉｏｎ：ＢＴＳ )、ＷＣＤＭＡシステムにおける基地局( ＮｏｄｅＢ：ＮＢ )、ＬＴＥシステムにおける発展型基地局( Ｅｖｏｌｕｔｉｏｎａｌ Ｎｏｄｅ Ｂ：ｅＮＢ、またはｅＮｏｄｅＢ )、またはクラウド無線アクセスネットワーク( Ｃｌｏｕｄ Ｒａｄｉｏ Ａｃｃｅｓｓ Ｎｅｔｗｏｒｋ：ＣＲＡＮ )における無線コントローラであってもよく、または中継局、アクセスポイント、車載装置、ウェアラブル装置、将来の５Ｇネットワークにおけるネットワーク側装置、または将来の公衆地上モバイルネットワーク( Ｐｕｂｌｉｃ Ｌａｎｄ Ｍｏｂｉｌｅ Ｎｅｔｗｏｒｋ：ＰＬＭＮ )におけるネットワークデバイスなどであってもよい。
【００３３】
当該無線通信システム１００は、ネットワークデバイス１１０のカバレージ内に配置された少なくとも１つの端末デバイス１２０をさらに含む。端末デバイス１２０は、移動型であってもよく、固定型であってもよい。任意選択で、端末デバイス１２０は、アクセス端末、ユーザ機器( Ｕｓｅｒ Ｅｑｕｉｐｍｅｎｔ：ＵＥ )、ユーザ装置、ユーザ局、移動局、モバイル、リモート局、リモート端末、モバイル機器、ユーザ端末、無線通信機器、ユーザエージェント、またはユーザ装置を指し得る。アクセス端末は、セルラー電話、コードレス電話、セッション開始プロトコル( Ｓｅｓｓｉｏｎ Ｉｎｉｔｉａｔｉｏｎ Ｐｒｏｔｏｃｏｌ：ＳＩＰ )電話、ワイヤレスローカルループ( Ｗｉｒｅｌｅｓｓ Ｌｏｃａｌ Ｌｏｏｐ：ＷＬＬ )局、パーソナルデジタル処理( Ｐｅｒｓｏｎａｌ Ｄｉｇｉｔａｌ Ａｓｓｉｓｔａｎｔ：ＰＤＡ )、ワイヤレス通信機能を有するハンドヘルドデバイス、コンピューティングデバイス、またはワイヤレスモデムに接続された他の処理デバイス、車載デバイス、ウェアラブルデバイス、将来の５Ｇネットワークにおける端末デバイス、または将来開発されるＰＬＭＮにおける端末デバイスなどであり得る。
【００３４】
任意選択で、端末デバイス１２０間の端末直接接続( Ｄｅｖｉｃｅ ｔｏ Ｄｅｖｉｃｅ：Ｄ２Ｄ )通信が行われてもよい。
【００３５】
任意選択で、５Ｇシステム又はネットワークは、新たな無線( Ｎｅｗ Ｒａｄｉｏ：ＮＲ )システム又はネットワークと呼ばれることもある。
【００３６】
図１は、１つのネットワークデバイス及び２つの端末デバイスを例示的に示し、任意選択で、無線通信システム１００は、複数のネットワークデバイスを含み、各ネットワークデバイスのカバレージ内に他の数の端末デバイスを含んでもよく、本願の実施例は、これに限定されない。
【００３７】
選択可能で、無線通信システム１００は、ネットワークコントローラ、モビリティ管理エンティティなどの他のネットワークエンティティをさらに含むことができ、本願の実施例はこれに限定されない。
【００３８】
本願の明細書において、「システム」および「ネットワーク」という用語は、本明細書において交換可能に使用されることが理解される。ここで、及び／又はとは、単に関連のある対象を記述するための関連関係の１つであり、Ａ及び／又はＢのように３つの関係が存在し得ることを意味し、Ａのみ、ＡとＢが同時に存在すること、Ｂのみが存在することの３つの場合が存在し得ることを意味する。なお、明細書の「／」の文字は、前後の関連オブジェクトが一種の「または」の関係であることを一般的に示す。
【００３９】
図２は、本発明の実施例における無線通信方法２００の概略的なフローチャートである。方法２００は、任意選択で、図１に示されるシステムに適用され得るが、これに限定されない。当該方法２００は端末デバイスにより実行される。
【００４０】
図２に示されるように、方法２００は、以下のステップの少なくとも一部を含む。
【００４１】
２１０において、端末デバイスがＳＲＳリソースグループに対応する第１の上り信号、第１の下り信号、第１のビーム或第１のビームペアに基づいて、ＳＲＳリソースグループ内のＳＲＳリソースに対する目標パスロス値を決定する。
【００４２】
選択可能で、当該ＳＲＳリソースグループは、１つ以上のＳＲＳリソースを含む。
【００４３】
選択可能で、ネットワークデバイスは、ＳＲＳリソースグループ内のＳＲＳリソースを構成するか、またはＳＲＳリソースグループ内のＳＲＳリソース構成は予め設定されてもよく、例えば、工場から予め構成されてもよい。
【００４４】
選択可能で、ＳＲＳリソースグループの各ＳＲＳリソースの構成は、当該ＳＲＳリソースがＳＲＳを送信する周期、占用された時間領域リソース、占用された周波数領域リソース、占用された空域リソース、採用されたコード領域リソース、および／またはトリガーシグナリングを受信した後のＳＲＳの送信回数などのうち少なくとも１つを含む。
【００４５】
選択可能で、当該ＳＲＳリソースグループの各ＳＲＳリソースは、当該ＳＲＳリソースグループの他のＳＲＳリソースの構成とは異なり、例えば、当該ＳＲＳの送信周期が異なること、占有されている時間領域リソースが異なること、占有されている周波数領域リソースが異なること、占有されている空域リソースが異なること、採用されるコード領域リソースが異なること、及び／又はトリガーシグナリングを受信した後にＳＲＳが送信される回数が異なることなどである。
【００４６】
選択可能で、ＳＲＳリソースグループは、上りビーム管理のためのＳＲＳリソースグループである。
【００４７】
具体的に、ＳＲＳに基づく上りビーム管理は、送信ビーム管理及び受信ビーム管理を含む。
【００４８】
送信ビーム管理において、端末デバイスは、複数のＳＲＳリソース上で異なるビームを用いてＳＲＳを送信し、ネットワークデバイスは、複数のＳＲＳリソース上での受信信号強度に基づいて少なくとも１つのＳＲＳリソースを選択して端末デバイスに指示することによって、端末デバイスは、当該ＳＲＳリソースに対応するビームを用いてネットワークデバイスにデータを送信することができる。
【００４９】
受信ビーム管理において、端末デバイスは、１つ以上のＳＲＳリソース上で同じビームを用いてＳＲＳを送信し、ネットワークデバイスは、異なる受信ビームに基づいて複数のＳＲＳリソース上でＳＲＳ信号を受信し、受信信号強度に応じてデータを受信するための受信ビームを選択することができる。
【００５０】
選択可能で、ＳＲＳリソースグループは、１つの非周期的ＳＲＳトリガシグナリングによりトリガされた１つのグループの非周期的ＳＲＳの伝送を搬送する。
【００５１】
具体的には、ネットワークデバイスは、必要に応じて非周期ＳＲＳトリガーシグナリングをトリガーすることができ、非周期トリガーシグナリングを受信した後、端末デバイスは、ＳＲＳリソースグループを使用して１つグループの非周期ＳＲＳの送信を伝送することができる。ここで、前記非周期ＳＲＳトリガシグナリングはＤＣＩによって搬送され得る。
【００５２】
選択可能で、ＳＲＳリソースグループは、１つの永続的ＳＲＳアクティブ化シグナリングによりアクティブ化される１つの永続的ＳＲＳの伝送を搬送する。
【００５３】
具体的に、ネットワークデバイスは、ＳＲＳアクティブ化シグナリングを用いて永続的ＳＲＳ伝送をアクティブ化し、端末デバイスは、ＳＲＳアクティブ化シグナリングを受信した後、当該ＳＲＳリソースグループを用いて１つの周期的ＳＲＳ送信である永続的ＳＲＳ伝送を伝送することができる。
【００５４】
選択可能で、端末デバイスは、ＳＲＳリソースグループ内のＳＲＳリソースのために同じ目標パスロス値を決定する。
【００５５】
なお、各ＳＲＳリソースが採用するパスロス値が同じであれば、１つのＳＲＳリソースグループは１つのパスロス値を決定すればよく、必ずしもリソース毎に１つのパスロス値を決定する必要はない。
【００５６】
具体的に、送信ビーム管理でも受信ビーム管理でも、端末デバイスが異なるＳＲＳリソースで送信するＳＲＳ信号の送信電力を同じにすることができ、この場合、ネットワークデバイスが受信信号強度に応じてより適切な送受信ビームを選択することができる。ＳＲＳリソースグループ内のＳＲＳリソースに同一のパスロス値が決定されば、同一又は近い送信電力を決定することができ、端末デバイスは同一又は近い送信電力でＳＲＳリソースを送信することができる。
【００５７】
選択可能で、同じ第１の上り信号、第１の下り信号、第１のビーム又は第１のビームペアに基づいて、ＳＲＳリソースグループ内のＳＲＳリソースに対する目標パスロス値を決定する。
【００５８】
具体的に、同じ又は近い目標パスロス値を決定するために、端末デバイスは、同じ第１の上り信号、第１の下り信号、第１のビーム又は第１のビームペアに基づいて、ＳＲＳリソースグループ内のＳＲＳリソースに対する目標パスロス値を決定することができる。
【００５９】
選択可能で、端末デバイスがＳＲＳリソースグループに対応する第１の上り信号、第１の下り信号、第１のビーム或第１のビームペアに基づいて、ＳＲＳリソースグループ内のＳＲＳリソースに対する目標パスロス値を決定する前に、端末デバイスは、当該目標パスロス値を決定するための第１の上り信号、第１の下り信号、第１のビーム又は第１のビームペアを選択することができる。
【００６０】
一実現形態において、端末デバイスはネットワークデバイスにより送信された第１の指示情報を受信し、第１の指示情報は、ＳＲＳリソースグループに対応する第１の上り信号、第１の下り信号、第１のビーム又は第１のビームペアを示し、又は、第１の上り信号を搬送するリソース、第１の下り信号を搬送するリソース、又は第１のビーム又は第１のビームペアを利用して信号の送受信を行うリソースを示す。
【００６１】
具体的に、ネットワークデバイスは、実際に応じて、端末デバイスの目標パスロスに使用する第１の上り信号、第１の下り信号、第１のビーム又は第１のビームペアを示し、又は、第１の上り信号を搬送するリソース、第１の下り信号を搬送するリソース、又は第１のビーム又は第１のビームペアを利用して信号の送受信を行うリソースを示す。
【００６２】
例えば、ネットワークデバイスが、端末デバイスが高い送信電力でＳＲＳの送信を行うことを要求する場合、より高いパスロス値を得る上り信号、下り信号、ビーム又は第１のビームペア、上り信号又は下り信号を搬送するリソース、又はビーム又はビームペアを用いて信号の受信又は送信を行うリソースを端末デバイスに指示することができる。
【００６３】
選択可能で、端末デバイスは、第１の指示情報が、第１の上り信号を搬送するリソース、第１の下り信号を搬送するリソース、または第１のビームもしくは第１のビームペアを用いて信号の送受信を行うリソースを示す場合、第１の指示情報が示すリソースに応じて、第１の上り信号、下り信号、第１のビームもしくは第１のビームペアを決定するようにしてもよい。
【００６４】
ここで、当該第１指示情報は、ＳＲＳリソースグループの構成情報と共に無線リソース制御( Ｒａｄｉｏ Ｒｅｓｏｕｒｃｅ Ｃｏｎｔｒｏｌ、ＲＲＣ )シグナリングにより端末デバイスに構成されてもよく、または、当該第１指示情報は、当該ＳＲＳリソースグループのトリガシグナリングまたはアクティブ化シグナリングと共に下り制御情報( Ｄｏｗｎｌｉｎｋ Ｃｏｎｔｒｏｌ Ｉｎｆｏｒｍａｔｉｏｎ、ＤＣＩ )またはメディアアクセス制御( Ｍｅｄｉａ Ａｃｃｅｓｓ Ｃｏｎｔｒｏｌ、ＭＡＣ )制御要素( Ｃｏｎｔｒｏｌ Ｅｌｅｍｅｎｔ、ＣＥ )により端末デバイスに指示されてもよい。
【００６５】
選択可能で、当該第１の指示情報がＳＲＳリソースグループの１つのＳＲＳリソースを示す場合、端末デバイスが当該ＳＲＳリソースに基づいて第１の上り信号（即ち、当該ＳＲＳリソースにより送信されたＳＲＳ）を決定することができる。
【００６６】
又は、当該第１の指示情報は、ＳＲＳリソースグループに対応する１つの上り信号、１つの下り信号、又は１つのビーム又は１つのビームペア（Ｂｅａｍ Ｐａｉｒ Ｌｉｎｋ、ＢＰＬ）を示す。
【００６７】
例えば、第１の指示情報は、当該ＳＲＳリソースグループの中のあるＳＲＳリソース上で搬送される上り信号、または、当該ＳＲＳリソースグループの中のあるＳＲＳリソース上に対応するＣＳＩ−ＲＳリソースに搬送される下り信号、または、ＳＲＳリソースグループの中のあるＳＲＳリソース上での信号の送信に使用されるビーム、または、当該ＳＲＳリソースグループの中のあるＳＲＳリソースに対応するＣＳＩ−ＲＳリソース上でのＣＳＩ−ＲＳの受信ビームと送信ビームからなるビームペアを示す。
【００６８】
他の実現形態において、第１の所定の関係に従って、ＳＲＳリソースグループに対応する第１の上り信号、第１の下り信号、第１のビームまたは第１のビームペアが決定される。任意選択で、第１の所定の関係は、工場出荷時に予め設定される。
【００６９】
選択可能で、第１の所定の関係は、ＳＲＳリソースグループのための目標パスロス値を決定するために使用される第１の上り信号、第１の下り信号、第１のビーム、または第１のビームペアが、どの上り信号、下り信号、ビーム、またはビームペアであるかを示し得、当該関係に基づいて、ＳＲＳリソースグループのための第１の上り信号、第１の下り信号、第１のビーム、または第１のビームペアが選択され得る。
【００７０】
例えば、第１の所定の関係は、ＳＲＳリソースグループのために目標パスロス値を決定するための第１の上り信号が最も近く送信したＰＵＳＣＨ又はＰＵＣＣＨ信号であることを示す場合、端末デバイスは、最も近く送信したＰＵＳＣＨ又はＰＵＣＣＨ信号を当該第１の上り信号とする。
【００７１】
例えば、第１の所定の関係は、ＳＲＳリソースグループにために目標パスロス値を決定するための第１の下り信号が端末デバイスが最も近く上り送信ビームを決定する下り信号であるを示す場合、端末デバイスが最も近く上り送信ビームを決定するための下り信号を第１の下り信号とする。
【００７２】
例えば、第１の所定の関係は、ＳＲＳリソースグループのために目標パスロス値を決定するビームが端末が最も近くＰＵＳＣＨ又はＰＵＣＣＨを送信するビーム、又は、端末が最も近く下り信号を受信するビームであることを示す場合、端末デバイスが最も近くＰＵＳＣＨ又はＰＵＣＣＨを送信するビーム、又は、端末が最も近く下り信号を受信するビームを第１のビームとする。
【００７３】
例えば、第１の所定の関係は、ＳＲＳリソースグループのために目標パスロス値決定するビームが端末の現在にアクティブ化された下りビームペア（例えば、ＣＳＩ−ＲＳを送信するビームとＣＳＩ−ＲＳを受信するビームからなるビームペアである）であることを示す場合、当該現在にアクティブ化されたビームを第１のビームペアとし、ここで、現在にアクティブ化されたビームが複数のビームペアである場合、これらから１つのビームを第１のビームペアとして選定することができる。
【００７４】
選択可能で、当該第１の上り信号は、ＳＲＳ、ＰＵＳＣＨ、ＰＵＣＣＨ、ＰＲＡＣＨ、ＤＭＲＳ又はＰＴＲＳである。
【００７５】
選択可能で、第１の上り信号は、ＳＲＳリソースグループ内の１つのＳＲＳリソースが伝送するＳＲＳである。
【００７６】
例えば、ネットワークデバイスは、前記ＳＲＳリソースグループ内のＳＲＳリソースのインデックスを示し、当該ＳＲＳリソースグループ内の他のＳＲＳリソースは、当該ＳＲＳリソースと同じパスロス推定を採用する。
【００７７】
選択可能で、第１の上り信号は、最も近く受信されたＳＲＳリソース指示情報( ＳＲＳ Ｒｅｓｏｕｒｃｅ Ｉｎｆｏｒｍａｔｉｏｎ、ＳＲＩ )が示すＳＲＳリソース上で伝送されたＳＲＳである。
【００７８】
具体的には、端末デバイスは、ＳＲＩを受信する前に、ＳＲＩによって示されたＳＲＳリソースを含むＳＲＳリソースグループ(本発明の実施例におけるリソースグループ)でＳＲＳ信号を伝送することができ、各ＳＲＳリソースは、選択的に１つのビームを利用して伝送することができる。ＳＲＩは、一般に、上りデータ伝送をスケジューリングするか、または上り制御情報により伝送されるＤＣＩをスケジューリングするによって端末デバイスに指示される。たとえば、端末は、非周期的ＳＲＳのＤＣＩをトリガするによって示され得る。
【００７９】
選択可能で、第１の下り信号は、ＣＳＩ−ＲＳ、同期信号、同期信号ブロック、ＴＲＳ、ＰＴＲＳ、ＰＤＳＣＨ、ＰＤＣＣＨ又はＤＭＲＳである。 
例えば、ネットワークデバイスは、上位レイヤシグナリングを介して複数のＣＳＩ−ＲＳリソースを予め構成し、そのうちの一つのＣＳＩ−ＲＳリソースのインデックスを下りパスロス推定のために示すことができる。
【００８０】
例えば、ネットワークデバイスは、複数の同期信号ブロックを送信し、下りパスロス推定に用いる同期信号ブロックの時間インデックスを示すことで、端末デバイスは、インデックスに対応する同期信号ブロックの同期信号、または同期信号ブロックのＰＢＣＨのＤＭＲＳに基づいて、下りパスロス推定を行うことができる。
【００８１】
選択可能で、当該第１のビームは、上り信号の送信ビーム又は下り信号の受信ビームである。
【００８２】
選択可能で、当該第１のビームペアは、１つの信号の送信ビームと受信ビームからなる１つの対のビームである。
【００８３】
理解を容易にするため、以下では、目標パスロス値の計算方法について、いくつかの実施例を挙げて説明する。
【００８４】
一実現形態において、第１の上り信号の送信電力を計算する時に使用されるパスロス値を、目標パスロス値として決定する。
【００８５】
例えば、第１の上り信号が最も近く送信されたＰＵＣＣＨである場合、当該当該ＰＵＣＣＨの送信電力を計算する時に使用されるパスロス値を、当該目標パスロス値として決定することができる。
【００８６】
例えば、第１の上り信号がＳＲＳリソースグループ内の１つのＳＲＳリソースに伝送されるＳＲＳである場合、当該１つのＳＲＳリソースのためにパスロス値を計算し、算出されたパスロス値をＳＲＳリソースグループ内の全てのＳＲＳリソースに対応するパスロス値とする。
【００８７】
例えば、第１の上り信号が、最も近く受信したＳＲＩが指示するＳＲＳリソース上で伝送されたＳＲＳである場合、端末デバイスは、そのＳＲＩを受信したとき、そのＳＲＩが指示するＳＲＳリソース上でＳＲＳを送信する際に用いられたパスロス値を決定し、そのパスロス値をＳＲＳリソースグループにおける全てのＳＲＳリソースに対するパスロス値とすることができる。もちろん、端末デバイスがＳＲＩを受信した場合、そのＳＲＩが指示するＳＲＳリソースについても、新たにパスロス値の計算を行い、計算したパスロス値をＳＲＳリソースグループの全てのＳＲＳリソースに対するパスロス値としてもよい。
【００８８】
選択可能で、ＳＲＳリソースに対する該当パスロス値の計算は、ＳＲＳリソースに対応するＣＳＩ−ＲＳリソース上でＣＳＩ−ＲＳを受信し、当該ＣＳＩ−ＲＳの送信電力と受信電力に基づいてパスロス値を計算することができる。
【００８９】
選択可能で、ＣＳＩ−ＲＳリソースは、ＳＲＳリソースと１対１に対応するか、または、１つのＣＳＩ−ＲＳリソースが複数のＳＲＳリソースに対応することができる。
【００９０】
一実施例では、第１の下り信号に対して、パスロス推定を行い、目標パスロス値を得る。
【００９１】
具体的には、第１の下り信号の受信電力及び送信電力に基づいて、パスロス値を推定して得られ、この推定されたパスロス値を、目標パスロス値として決定する。
【００９２】
例えば、受信電力がＰ１、送信電力がＰ２であれば、パスロス値はＰＬ＝Ｐ１／Ｐ２と表される。通常、パスロス推定値は、ｄＢで示し、すなわちＰＬ(ｄＢ)＝１０＊ｌｇ(Ｐ１／Ｐ２)(ｄＢ)で表される。
【００９３】
選択可能で、ネットワークデバイスから端末デバイスに、予め第１の下り信号の送信電力を下りシグナリングで通知してもよく、例えば、第１の下り信号がＣＳＩ−ＲＳの場合、その送信電力を、ＣＳＩ−ＲＳを送信するＣＳＩ−ＲＳリソースの構成情報に含めて端末デバイスに通知してもよい。
【００９４】
別の実施例では、第１の上り信号、第１のビーム、または第１のビームペアに関連する第２の下り信号に基づいて、下りパスロス推定が行われ、目標パスロス値が得られる。
【００９５】
例えば、端末デバイスは、第１の上り信号に関連する第２の下り信号に基づいて下りパスロス推定を行うことができる。ここで、端末デバイスは、ある下り信号の受信ビームに基づいて第１の上り信号の送信ビームを得ると、その下り信号を前記上り信号に関連する第２の下り信号とすることができる。あるいは、第２下り信号の受信ビームと当該第１上り信号の送信ビームとが同一のビームであってもよい
例えば、端末デバイスは、第１のビームに関連する第１の下り信号に基づいて下りパスロス推定を行うことができる。具体的には、ネットワークデバイスは、ビームに対応する損失値を取得するために各ビームに対してそれぞれの下り信号を構成し得る場合、第１のビームに関連する第２の下り信号は、すなわち、第１のビームの損失値を取得するように構成された下り信号である。あるいは、第２下り信号は、当該第１ビームを送信ビームまたは受信ビームとして用いる下り信号である。
【００９６】
例えば、端末デバイスは、第１のビームペアに関連する第２の下り信号に基づいて、下りパスロス推定を行うことができる。具体的には、ネットワークデバイスは、ビームペアのそれぞれの下り信号を構成して、当該ビームペアに対するパスロス値を得る。あるいは、前記第２の下り信号は、該第１のビームペアを送信ビーム及び受信ビームとして用いる下り信号である。
【００９７】
選択可能で、端末デバイスは、第２の下り信号の受信電力と送信電力に基づいて、第１のパスロス値を取得し、第１のパスロス値を目標パスロス値として決定する。
【００９８】
例えば、受信電力がＰ１、送信電力がＰ２である場合、パスロス値は、ＰＬ＝Ｐ１／Ｐ２と表す。一般に、パスロス推定値はｄＢで表され、すなわちＰＬ(ｄＢ)＝１０＊ｌｇ(Ｐ１／Ｐ２)(ｄＢ)である
選択可能で、ネットワークデバイスから端末デバイスに、予め第２の下り信号の送信電力を下りシグナリングで通知してもよく、例えば、第２の下り信号がＣＳＩ−ＲＳの場合、その送信電力を、ＣＳＩ−ＲＳを送信するＣＳＩ−ＲＳリソースの構成情報に含めて端末デバイスに通知してもよい。
【００９９】
選択可能で、端末デバイスがネットワークデバイス送信により送信された第２の指示情報を受信し、第２の指示情報は、第１の上り信号、第１のビーム又は第１のビームと第２の下り信号との関連関係を示し、この場合、端末デバイスが当該第２の指示情報に基づいて、第１の上り信号、第１のビーム又は第１のビームに関連する第２の下り信号を決定することができる。
【０１００】
選択可能で、第２の所定の関係に基づいて、端末デバイスが第１の上り信号、第１のビーム又は第１のビームペアに関連する下り信号を第２の下り信号として決定することができる。ここで、当該所定の関係は、第１の上り信号、第１のビーム又は第１のビームペアに関連する下り信号のうちのある下り信号を示す。選択可能で、当該第２の所定の関係は出荷時に予め設定されたものであってもよい。
【０１０１】
選択可能で、第２の下り信号は、ＣＳＩ−ＲＳ、同期信号、同期信号ブロック、ＴＲＳ、ＰＴＲＳ、ＰＤＳＣＨ、ＰＤＣＣＨ又はＤＭＲＳである。 
２２０において、目標パスロス値に基づいて、端末デバイスがＳＲＳリソースグループ内のＳＲＳリソースに対する目標送信電力を決定する。
【０１０２】
選択可能で、端末デバイスがＳＲＳリソースグループ内のＳＲＳリソースのために同じ送信電力を決定する。
【０１０３】
なお、ＳＲＳリソース毎に採用される送信電力が同じであれば、１つのＳＲＳリソースグループは１つの送信電力を決定するだけでよく、必ずしもリソース毎に１つの送信電力を決定する必要はない。
【０１０４】
選択可能で、Ｐｔ＝ｍｉｎ{Ｐｍａｘ,ａ＊ＰＬ＋ｂ} （ｄＢ）の式に従って送信電力を算出してもよい。
【０１０５】
ここで、Ｐｔは前記送信電力、Ｐｍａｘは上り許容最大送信電力、ＰＬはパスロス推定値( ｄＢ単位)、ａはパスロス補償因子であり、通常ネットワーク側から端末に指示され、ｂは他の電力制御パラメータを代表する。
【０１０６】
選択可能で、目標パスロス値が上りパスロス値であり、端末デバイスは、下りパスロス推定を上りパスロス値とし、又は下りパスロス推定に基づいていくつかの演算で上りパスロス値を得る。
【０１０７】
選択可能で、目標パスロス値が下りパスロス値であり、下りパスロス値に基づいて、上りパスロス値を推定し、上りパスロス値に基づいて、目標送信電力を決定する。
【０１０８】
選択可能で、ネットワークデバイスが予めパスロスオフセット値を構成し、端末が下りパスロス推定値と前記パスロスオフセット値から上りパスロス推定値を計算しても良い。
【０１０９】
例えば、ＰＬ＿ＵＬ ＝ ＰＬ＿ＤＬ＋ｋ であり、ここで、ＰＬ＿ＵＬは上りパスロス推定値、ＰＬ＿ＤＬは上りパスロス推定値、ｋはネットワーク側で構成されたパスロスオフセット値である。
【０１１０】
２３０において、目標送信電力に応じて、ＳＲＳリソースグループ内のＳＲＳリソースにおいて、ネットワークデバイスにＳＲＳを送信する。
【０１１１】
選択可能で、端末デバイスが目標送信電力に応じて、ＳＲＳリソースグループ内の異なるＳＲＳリソースにおいて、異なる送信ビームを利用して、ネットワークデバイスにＳＲＳをそれぞれ送信することで、ネットワークデバイスが同じ受信ビームを利用してＳＲＳリソースグループ内のＳＲＳリソースにおいてＳＲＳをそれぞれ受信し、複数のＳＲＳリソースで受信信号の強さに基づいて少なくとも１つのＳＲＳリソースを選択して端末デバイスに指示することで、端末デバイスが当該ＳＲＳリソースに対応するビームを利用してデータ伝送することができる。
【０１１２】
選択可能で、端末デバイスは目標送信電力に応じて、ＳＲＳリソースグループ内の異なるＳＲＳリソースにおいて、同じ送信ビームを利用して、ネットワークデバイスにＳＲＳをそれぞれ送信することで、ネットワークデバイスが異なる受信ビームに基づいて複数のＳＲＳリソースでのＳＲＳ信号を受信し、受信信号の強さに基づいてデータ受信のための受信ビームを選択する。
【０１１３】
そして、本願の実施例において、端末デバイスがＳＲＳリソースグループに対応する第１の上り信号、第１の下り信号、第１のビーム或第１のビームペアに基づいて、前記ＳＲＳリソースグループ内のＳＲＳリソースのために目標パスロス値を決定し、前記目標パスロス値に基づいて、前記ＳＲＳリソースグループ内のＳＲＳリソースに対する目標送信電力を決定することで、適当の送信電力を選択してＳＲＳの送信を行う。
【０１１４】
図３は本願の実施例における端末デバイス３００のブロック図である。図３に示すように、当該端末デバイス３００は処理ユニット３１０及び通信ユニット３２０を含む。
【０１１５】
前記処理ユニット３１０は、サウンディング基準信号ＳＲＳリソースグループに対応する第１の上り信号、第１の下り信号、第１のビーム又は第１のビームペアに基づいて、前記ＳＲＳリソースグループ内のＳＲＳリソースに対する目標パスロス値を決定し、前記目標パスロス値に基づいて、前記ＳＲＳリソースグループ内のＳＲＳリソースに対する目標送信電力を決定するように構成される。
【０１１６】
前記通信ユニット３２０は、前記目標送信電力に応じて、前記ＳＲＳリソースグループ内のＳＲＳリソースにおいて、ネットワークデバイスにＳＲＳを送信するように構成される。
【０１１７】
選択可能で、前記処理ユニット３１０は、さらに、
前記ＳＲＳリソースグループ内のＳＲＳリソースに対する同じ目標パスロス値を決定するように構成される。
【０１１８】
選択可能で、前記処理ユニット３１０は、さらに、
同じ前記第１の上り信号、前記第１の下り信号、前記第１のビーム又は前記第１のビームペアに基づいて、前記ＳＲＳリソースグループ内のＳＲＳリソースに対する前記目標パスロス値を決定するように構成される。
【０１１９】
選択可能で、前記処理ユニット３１０は、さらに、
前記ＳＲＳリソースグループ内のＳＲＳリソースに対する同じ目標送信電力を決定するように構成される。
【０１２０】
選択可能で、前記通信ユニット３２０は、さらに、
前記ネットワークデバイスの第１の指示情報を受信するように構成され、前記第１の指示情報は、前記ＳＲＳリソースグループに対応する前記第１の上り信号、前記第１の下り信号、前記第１のビーム又は前記第１のビームペアを示し、又は、前記第１の上り信号を搬送するためのリソース、前記第１の下り信号を搬送するためのリソース、又は前記第１のビーム又は前記第１のビームを利用して信号の送受信を行うためのリソースを示す。
【０１２１】
選択可能で、前記処理ユニット３１０は、さらに、
第１の所定の関係に基づいて、前記ＳＲＳリソースグループに対応する前記第１の上り信号、前記第１の下り信号、前記第１のビーム又は前記第１のビームペアを確定するように構成される。
【０１２２】
選択可能で、前記第１の上り信号は、ＳＲＳ、物理上り共有チャネルＰＵＳＣＨ、物理上り制御チャネルＰＵＣＣＨ、物理ランダムアクセスチャネルＰＲＡＣＨ、復調基準信号ＤＭＲＳ又は位相トラッキング基準信号ＰＴＲＳである。
【０１２３】
選択可能で、前記上り信号は、前記ＳＲＳリソースグループ内の１つのＳＲＳリソースで伝送されるＳＲＳであり、又は、
前記上り信号は、最も近く受信されたＳＲＳリソース指示情報が示すＳＲＳリソースで伝送されるＳＲＳである。
【０１２４】
選択可能で、前記処理ユニット３１０は、さらに、
前記第１の上り信号の送信電力を計算する時に使用するパスロス値を、前記目標パスロス値として決定するように構成される。
【０１２５】
選択可能で、前記処理ユニット３１０は、さらに、
前記第１の上り信号、前記第１のビーム又は前記第１のビームペアに関連する第２の下り信号に基づいて、下りパスロス推定を行って前記目標パスロス値を取得するように構成される。
【０１２６】
選択可能で、前記通信ユニット３２０は、さらに、
前記ネットワークデバイスにより送信された第２の指示情報を受信するように構成され、前記第２の指示情報は、前記第１の上り信号、前記第１のビーム又は前記第１のビームと前記第２の下り信号との関連関係を示す。
【０１２７】
選択可能で、前記処理ユニット３１０は、さらに、
第２の所定の関係に基づいて、前記第１の上り信号、前記第１のビーム又は前記第１のビームペアに関連する下り信号を前記第２の下り信号として決定するように構成される。
【０１２８】
選択可能で、前記処理ユニット３１０は、さらに、
前記第２の下り信号の受信電力と送信電力に基づいて、第１のパスロス値を取得し、
前記第１のパスロス値を、前記目標パスロス値として決定するように構成される。
【０１２９】
選択可能で、前記第１の下り信号は、ＣＳＩ−ＲＳ、同期信号、同期信号ブロック、時間領域同期基準信号ＴＲＳ、位相トラッキング基準信号ＰＴＲＳ、ＰＤＳＣＨ、ＰＤＣＣＨ又はＤＭＲＳである。 
選択可能で、前記処理ユニットは、さらに、
前記第１の下り信号の受信電力と送信電力に基づいて、第２のパスロス値を取得し、
前記第２のパスロス値を前記目標パスロス値として決定するように構成される。
【０１３０】
選択可能で、前記処理ユニット３１０は、さらに、
前記下りパスロス値に基づいて、上りパスロス値を推定して取得し、
前記上りパスロス値に基づいて、前記目標送信電力を決定するように構成される。
【０１３１】
選択可能で、前記通信ユニット３２０は、さらに、
前記目標送信電力に応じて、前記ＳＲＳリソースグループ内の異なるＳＲＳリソースにおいて、異なる送信ビームを利用して、前記ネットワークデバイスにＳＲＳをそれぞれ送信するように構成される。
【０１３２】
選択可能で、前記ＳＲＳリソースグループは、上りビーム管理に使用するＳＲＳリソースグループである。
【０１３３】
選択可能で、前記ＳＲＳリソースグループは、１つの非周期ＳＲＳトリガシグナリングによりトリガされる１つのグループの非周期ＳＲＳの伝送を搬送し、又は、前記ＳＲＳリソースグループは、１つの永続的ＳＲＳアクティブ化シグナリングによりアクティブ化された１つのグループの永続的ＳＲＳの伝送を搬送する。
【０１３４】
なお、端末デバイス３００は、図２に示す方法において端末デバイス３００が行う各処理を実行することができるが、ここでは説明を省略する。
【０１３５】
図４は、本発明の実施例に係るシステムチップ４００の概略構成図である。図４のシステムチップ４００は、入力インターフェース４０１、出力インターフェース４０２、メモリ５０４内のコードを実行するためのプロセッサ４０３、及びメモリ４０４を含み、それらの間を内部通信接続線を介して接続することができる。
【０１３６】
任意選択で、コードが実行されると、プロセッサ４０３は、方法の実施例において端末デバイスによって実行される方法を実施する。簡潔にするために、ここでは繰り返し説明を省略する。
【０１３７】
図５は、本発明の一実施例による通信デバイス５００の概略的なブロック図である。図５に示すように、通信デバイス５００は、プロセッサ５１０と、メモリ５２０とを有する。ここで、該メモリ５２０はプログラムコードを記憶してもよく、該プロセッサ５１０は該メモリ５２０に記憶されたプログラムコードを実行してもよい。
【０１３８】
代替的に、図５に示すように、通信デバイス５００は、プロセッサ５１０が外部と通信するように制御することができるトランシーバ５３０を含んでもよい。
【０１３９】
任意選択で、プロセッサ５１０は、メモリ５２０に記憶されたプログラムコードを呼び出して、方法の実施例における端末デバイスの対応する動作を実行してもよく、簡潔のためにここでは詳しい説明を省略する。
【０１４０】
本願の実施例のプロセッサは、信号の処理能力を有する集積回路チップであり得ることが理解される。実施において、上述した方法の実施例のステップは、プロセッサ内のハードウェアの集積論理回路またはソフトウェア形態の命令によって実行されてもよい。上記のプロセッサは、汎用プロセッサ、デジタル信号プロセッサ( Ｄｉｇｉｔａｌ Ｓｉｇｎａｌ Ｐｒｏｃｅｓｓｏｒ、ＤＳＰ )、特定用途向け集積回路( Ａｐｐｌｉｃａｔｉｏｎ Ｓｐｅｃｉｆｉｃ Ｉｎｔｅｇｒａｔｅｄ Ｃｉｒｃｕｉｔ、ＡＳＩＣ )、既存のプログラマブルゲートアレイ( Ｆｉｅｌｄ Ｐｒｏｇｒａｍｍａｂｌｅ Ｇａｔｅ Ａｒｒａｙ、ＦＰＧＡ )又は他のプログラマブル論理デバイス、ディスクリートゲート又はトランジスタロジック、ディスクリートハードウェアコンポーネントであってもよい。本出願の実施例に開示された方法、ステップ、及び論理ブロック図は、実施され得るか、又は実行され得る。汎用プロセッサはマイクロプロセッサであってもよく、プロセッサは任意の従来のプロセッサなどであってもよい。本願の実施例に関連して開示される方法のステップは、ハードウェアデコーディングプロセッサ実行として直接的に、または、デコーディングプロセッサ内のハードウェアおよびソフトウェアモジュールの組み合わせで実行されるとして具現化され得る。ソフトウェアモジュールは、ランダムアクセスメモリ、フラッシュメモリ、読み取り専用メモリ、プログラム可能読み取り専用メモリ、または電気的に消去可能なプログラム可能メモリ、レジスタなどの当技術分野で熟練した記憶媒体内に配置され得る。この記憶媒体は、メモリに位置し、プロセッサは、メモリ内の情報を読み取り、ハードウェアとともに上述した方法のステップを実行する。
【０１４１】
本発明の実施例におけるメモリは、揮発性メモリ又は不揮発性メモリであってもよく、或いは揮発性メモリ及び不揮発性メモリの両方を含んでもよいことが理解される。ここで、不揮発性メモリは、リードオンリーメモリ( Ｒｅａｄ−Ｏｎｌｙ Ｍｅｍｏｒｙ、ＲＯＭ )、プログラマブルリードオンリーメモリ( Ｐｒｏｇｒａｍｍａｂｌｅ ＲＯＭ、ＰＲＯＭ )、消去可能プログラマブルリードオンリーメモリ( Ｅｒａｓａｂｌｅ ＰＲＯＭ、ＥＰＲＯＭ )、電気的消去可能プログラマブルリードオンリーメモリ( Ｅｌｅｃｔｒｉｃａｌｌｙ ＥＰＲＯＭ、ＥＥＰＲＯＭ )、またはフラッシュメモリであってもよい。揮発性メモリは、外部キャッシュとして使用されるランダムアクセスメモリ( Ｒａｎｄｏｍ Ａｃｃｅｓｓ Ｍｅｍｏｒｙ、ＲＡＭ )であってよい。限定ではなく例として、RAMは、スタティックランダムアクセスメモリ( Ｓｔａｔｉｃ ＲＡＭ、ＳＲＡＭ )、ダイナミックランダムアクセスメモリ( Ｄｙｎａｍｉｃ ＲＡＭ、ＤＲＡＭ )、シンクロナスダイナミックランダムアクセスメモリ( Ｓｙｎｃｈｒｏｎｏｕｓ ＤＲＡＭ、ＳＤＲＡＭ )、ダブルデータレートシンクロナスダイナミックランダムアクセスメモリ( Ｄｏｕｂｌｅ Ｄａｔａ Ｒａｔｅ ＳＤＲＡＭ、ＤＤＲ ＳＤＲＡＭ )、エンハンスメント型シンクロナスダイナミックランダムアクセスメモリ( Ｅｎｈａｎｃｅｄ ＳＤＲＡＭ、ＥＳＤＲＡＭ )、シンクロナス接続ダイナミックランダムアクセスメモリ( Ｓｙｎｃｈｌｉｎｋ ＤＲＡＭ、ＳＬＤＲＡＭ )、及びダイレクトメモリバスランダムアクセスメモリ( Ｄｉｒｅｃｔ Ｒａｍｂｕｓ ＲＡＭ、ＤＲ ＲＡＭ )など、多くの形態で利用可能である。本明細書に記載のシステム及び方法のメモリは、これら及び任意の他の適切なタイプのメモリを含むことが意図されているが、これらに限定されないことに留意されたい。
【０１４２】
当業者は、本明細書に開示される実施例に関連して説明される様々な例のユニットおよびアルゴリズムステップが、電子ハードウェア、またはコンピュータソフトウェアと電子ハードウェアとの組合せで実装され得ることを認識するであろう。これらの機能は、技術案の特定の適用例および設計制約に応じて、ハードウェアまたはソフトウェアのいずれで実行されるかに依存する。当業者は、説明された機能を実施するために、特定のアプリケーションごとに異なる方法を使用し得るが、そのような実施は、本開示の範囲から逸脱するものと考えられるべきではない。
【０１４３】
当業者であれば、説明の便宜及び簡潔にするために、上記に説明されたシステム、装置及びユニットの特定の動作プロセスが、前述の方法の実施例における対応するプロセスを参照してよく、ここでその説明が省略されることを理解するであろう。
【０１４４】
本明細書で提供されるいくつかの実施例では、開示されるシステム、装置、および方法は、他の方法で実現されてもよいことが理解されるべきである。例えば、上記の装置の実施例は、単に例示的なものであり、例えば、ユニットの分割は、１つの論理的機能の分割にすぎず、実際の実装では、別の分割方法があり得、例えば、複数のユニット又はコンポーネントが、組み合わされてもよく、別のシステムに統合されてもよく、又はいくつかの特徴が省略されてもよく、又は実行されなくてもよい。別の点では、表示または議論される相互間の結合または直接的な結合または通信接続は、何らかのインターフェース、デバイスまたはユニットを介した間接的な結合または通信接続であってもよく、電気的、機械的、または他の形態であってもよい。
【０１４５】
上記分離手段として説明したユニットは、物理的に分離していてもいなくてもよく、ユニットとして表示する手段は、物理的なユニットであってもなくてもよく、１箇所にあってもよく、あるいは複数のネットワークユニットに分散していてもよい。また、本実施例の目的は、必要に応じて各部の一部又は全部を選択して実施することができる。
【０１４６】
また、本発明の各実施例における各機能部は、１つの処理部に集積されてもよく、各部は、物理的に別個に存在してもよく、２つ以上の部が１つの部に集積されてもよい。
【０１４７】
また、ソフトウェア的な機能単位で実現され、独立した製品として販売又は使用される場合には、コンピュータ読み取り可能な記録媒体に格納されてもよい。このような理解に基づいて、本発明の技術的解決策の本質または従来技術に寄与する部分、または本発明の技術的解決策の部分は、１つのコンピュータデバイス(パーソナルコンピュータ、サーバ、またはネットワークデバイスなどであり得る)に本発明の様々な実施例に記載された方法のステップの全てまたは一部を実行させるための複数の命令を含む１つの記憶媒体に記憶されたソフトウェア製品の形態で具現化され得る。なお、前記記憶媒体としては、Ｕ-ディスク、リムーバブルハードディスク、Ｒｅａｄ−Ｏｎｌｙ Ｍｅｍｏｒｙ、ＲＯＭ、ＲＡＭ、磁気ディスク、光ディスク等のプログラムコードを記憶できる種々の媒体を用いることができる。
【０１４８】
以上、本発明の具体的な実施例を説明したが、本発明の技術的範囲はこれに限定されるものではなく、本発明が属する技術分野で通常の知識を有する者であれば、本発明の技術的範囲内で容易に変更や置換をなし得ることは勿論である。したがって、本発明の保護範囲は、特許請求の範囲によって定義されるべきである。
【図１】
2020522160.tif 000003
【図２】
2020522160.tif 000004
【図３】
2020522160.tif 000005
【図４】
2020522160.tif 000006
【図５】
2020522160.tif 000007
【手続補正書】
【提出日】令和2年4月30日(2020.4.30)
【手続補正１】
【補正対象書類名】明細書
【補正対象項目名】００１３
【補正方法】変更
【補正の内容】
【００１３】
第１の形態又は上記の実現可能な方式と結合し、第１の形態の他の実現可能な方式において、前記第１の上り信号は、前記ＳＲＳリソースグループ内の１つのＳＲＳリソースで伝送されるＳＲＳであり、又は、
前記第１の上り信号は、最も近く受信されたＳＲＳリソース指示情報が示すＳＲＳリソースで伝送されるＳＲＳである。
【手続補正２】
【補正対象書類名】明細書
【補正対象項目名】００１６
【補正方法】変更
【補正の内容】
【００１６】
第１の形態又は上記の実現可能な方式と結合し、第１の形態の他の実現可能な方式において、前記第１の上り信号、前記第１のビーム又は前記第１のビームペアに関連する第２の下り信号に基づいて、下りパスロス推定を行って前記目標パスロス値を取得する前に、前記方法は、さらに、
前記ネットワークデバイスにより送信された第２の指示情報を受信することを含み、前記第２の指示情報は、前記第１の上り信号、前記第１のビームペア又は前記第１のビームと前記第２の下り信号との関連関係を示す。
【手続補正３】
【補正対象書類名】明細書
【補正対象項目名】００３２
【補正方法】変更
【補正の内容】
【００３２】
図１は、本願の実施例が適用される無線通信システム１００を示す。無線通信システム１００は、ネットワークデバイス１１０を含み得る。ネットワークデバイス１１０は、端末デバイスと通信するデバイスであってもよい。ネットワークデバイス１１０は、特定の地理的エリアに通信カバレッジを提供し、カバレッジエリア内に配置されたＵＥなどの端末デバイスと通信し得る。任意選択で、ネットワークデバイス１００は、ＧＳＭシステムまたはＣＤＭＡシステムにおける基地局( Ｂａｓｅ Ｔｒａｎｓｃｅｉｖｅｒ Ｓｔａｔｉｏｎ：ＢＴＳ )、ＷＣＤＭＡシステムにおける基地局( ＮｏｄｅＢ：ＮＢ )、ＬＴＥシステムにおける発展型基地局( Ｅｖｏｌｕｔｉｏｎａｌ Ｎｏｄｅ Ｂ：ｅＮＢ、またはｅＮｏｄｅＢ )、またはクラウド無線アクセスネットワーク( Ｃｌｏｕｄ Ｒａｄｉｏ Ａｃｃｅｓｓ Ｎｅｔｗｏｒｋ：ＣＲＡＮ )における無線コントローラであってもよく、または中継局、アクセスポイント、車載装置、ウェアラブル装置、将来の５Ｇネットワークにおけるネットワーク側装置、または将来の公衆地上モバイルネットワーク( Ｐｕｂｌｉｃ Ｌａｎｄ Ｍｏｂｉｌｅ Ｎｅｔｗｏｒｋ：ＰＬＭＮ )におけるネットワークデバイスなどであってもよい。
【手続補正４】
【補正対象書類名】明細書
【補正対象項目名】００９９
【補正方法】変更
【補正の内容】
【００９９】
選択可能で、端末デバイスがネットワークデバイス送信により送信された第２の指示情報を受信し、第２の指示情報は、第１の上り信号、第１のビーム又は第１のビームペアと第２の下り信号との関連関係を示し、この場合、端末デバイスが当該第２の指示情報に基づいて、第１の上り信号、第１のビーム又は第１のビームペアに関連する第２の下り信号を決定することができる。
【手続補正５】
【補正対象書類名】明細書
【補正対象項目名】０１２６
【補正方法】変更
【補正の内容】
【０１２６】
選択可能で、前記通信ユニット３２０は、さらに、
前記ネットワークデバイスにより送信された第２の指示情報を受信するように構成され、前記第２の指示情報は、前記第１の上り信号、前記第１のビーム又は前記第１のビームペアと前記第２の下り信号との関連関係を示す。
【手続補正６】
【補正対象書類名】明細書
【補正対象項目名】０１４８
【補正方法】削除
【補正の内容】
【手続補正７】
【補正対象書類名】特許請求の範囲
【補正対象項目名】全文
【補正方法】変更
【補正の内容】
【特許請求の範囲】
【請求項１】
サウンディング基準信号ＳＲＳリソースグループに対応する第１の上り信号、第１の下り信号、第１のビーム又は第１のビームペアに基づいて、前記ＳＲＳリソースグループ内のＳＲＳリソースに対する目標パスロス値を決定することと、
前記目標パスロス値に基づいて、前記ＳＲＳリソースグループ内のＳＲＳリソースに対する目標送信電力を決定することと、
前記目標送信電力に応じて、前記ＳＲＳリソースグループ内のＳＲＳリソースにおいて、ネットワークデバイスにＳＲＳを送信することとを含む。
ことを特徴とする無線通信方法。
【請求項２】
前記ＳＲＳリソースグループ内のＳＲＳリソースに対する目標パスロス値を決定することは、
前記ＳＲＳリソースグループ内のＳＲＳリソースに対する同じ目標パスロス値を決定することを含む
ことを特徴とする請求項１に記載の無線通信方法。
【請求項３】
前記サウンディング基準信号ＳＲＳリソースグループに対応する第１の上り信号、第１の下り信号、第１のビーム又は第１のビームペアに基づいて、前記ＳＲＳリソースグループ内のＳＲＳリソースに対する目標パスロス値を決定することは、
同じ前記第１の上り信号、前記第１の下り信号、前記第１のビーム又は前記第１のビームペアに基づいて、前記ＳＲＳリソースグループ内のＳＲＳリソースに対する前記目標パスロス値を決定することを含む
ことを特徴とする請求項１又は２に記載の無線通信方法。
【請求項４】
同じ前記第１の上り信号、前記第１の下り信号、前記第１のビーム又は前記第１のビームペアの数は、１である
ことを特徴とする請求項３に記載の無線通信方法。
【請求項５】
前記ＳＲＳリソースグループ内のＳＲＳリソースに対する目標送信電力を決定することは、
前記ＳＲＳリソースグループ内のＳＲＳリソースに対する同じ目標送信電力を決定することを含む
ことを特徴とする請求項１〜４のいずれか１項に記載の無線通信方法。
【請求項６】
前記サウンディング基準信号ＳＲＳリソースグループに対応する第１の上り信号、第１の下り信号、第１のビーム又は第１のビームペアに基づいて、前記ＳＲＳリソースグループ内のＳＲＳリソースに対する目標パスロス値を決定する前に、前記方法は、さらに、
前記ネットワークデバイスの第１の指示情報を受信することを含み、前記第１の指示情報は、前記ＳＲＳリソースグループに対応する前記第１の上り信号、前記第１の下り信号、前記第１のビーム又は前記第１のビームペアを示し、又は、前記第１の上り信号を搬送するためのリソース、前記第１の下り信号を搬送するためのリソース、又は前記第１のビーム又は前記第１のビームを利用して信号の送受信を行うためのリソースを示す
ことを特徴とする請求項１〜５のいずれか１項に記載の無線通信方法。
【請求項７】
前記サウンディング基準信号ＳＲＳリソースグループに対応する第１の上り信号、第１の下り信号、第１のビーム又は第１のビームペアに基づいて、前記ＳＲＳリソースグループ内のＳＲＳリソースに対する目標パスロス値を決定する前に、前記方法は、さらに、
第１の所定の関係に基づいて、前記ＳＲＳリソースグループに対応する前記第１の上り信号、前記第１の下り信号、前記第１のビーム又は前記第１のビームペアを確定することを含む
ことを特徴とする請求項１〜５のいずれか１項に記載の無線通信方法。
【請求項８】
前記サウンディング基準信号ＳＲＳリソースグループに対応する第１の上り信号、第１の下り信号、第１のビーム又は第１のビームペアに基づいて、前記ＳＲＳリソースグループ内のＳＲＳリソースに対する目標パスロス値を決定することは、
前記第１の上り信号の送信電力を計算する時に使用するパスロス値を、前記目標パスロス値として決定することを含む
ことを特徴とする請求項１〜７のいずれか１項に記載の無線通信方法。
【請求項９】
前記サウンディング基準信号ＳＲＳリソースグループに対応する第１の上り信号、第１の下り信号、第１のビーム又は第１のビームペアに基づいて、前記ＳＲＳリソースグループ内のＳＲＳリソースに対する目標パスロス値を決定することは、
前記第１の上り信号、前記第１のビーム又は前記第１のビームペアに関連する第２の下り信号に基づいて、下りパスロス推定を行って前記目標パスロス値を取得することを含む  ことを特徴とする請求項１〜７のいずれか１項に記載の無線通信方法。
【請求項１０】
前記第１の上り信号、前記第１のビーム又は前記第１のビームペアに関連する第２の下り信号に基づいて、下りパスロス推定を行って前記目標パスロス値を取得する前に、前記方法は、さらに、
前記ネットワークデバイスにより送信された第２の指示情報を受信することを含み、前記第２の指示情報は、前記第１の上り信号、前記第１のビーム又は前記第１のビームと前記第２の下り信号との関連関係を示す
ことを特徴とする請求項９に記載の無線通信方法。
【請求項１１】
前記第１の上り信号、前記第１のビーム又は前記第１のビームペアに関連する第２の下り信号に基づいて、下りパスロス推定を行って前記目標パスロス値を取得する前に、前記方法は、さらに、
第２の所定の関係に基づいて、前記第１の上り信号、前記第１のビーム又は前記第１のビームペアに関連する下り信号を前記第２の下り信号として決定することを含む
ことを特徴とする請求項９又は１０に記載の無線通信方法。
【請求項１２】
前記第１の上り信号、前記第１のビーム又は前記第１のビームペアに関連する第２の下り信号に基づいて、下りパスロス推定を行って前記目標パスロス値を取得することは、
前記第２の下り信号の受信電力と送信電力に基づいて、第１のパスロス値を取得することと、
前記第１のパスロス値を、前記目標パスロス値として決定することとを含む
ことを特徴とする請求項９〜１１のいずれか１項に記載の無線通信方法。
【請求項１３】
前記第１の下り信号は、ＣＳＩ−ＲＳ、同期信号、同期信号ブロック、時間周波数同期基準信号ＴＲＳ、位相トラッキング基準信号ＰＴＲＳ、物理下り共有チャネルＰＤＳＣＨ、物理下り制御チャネルＰＤＣＣＨ又はＤＭＲＳのいずれかを含む
ことを特徴とする請求項１〜７のいずれか１項に記載の無線通信方法。
【請求項１４】
ＳＲＳリソースグループに対応する第１の上り信号、第１の下り信号、第１のビーム又は第１のビームペアに基づいて、前記ＳＲＳリソースグループ内のＳＲＳリソースに対する目標パスロス値を決定することは、
前記第１の下り信号の受信電力と送信電力に基づいて、第２のパスロス値を取得することと、
前記第２のパスロス値を前記目標パスロス値として決定することとを含む
ことを特徴とする請求項１〜７、１３のいずれか１項に記載の無線通信方法。
【請求項１５】
前記目標パスロス値が下りパスロス値であり、前記目標パスロス値に基づいて、前記ＳＲＳリソースグループ内のＳＲＳリソースに対する目標送信電力を決定することは、
前記下りパスロス値に基づいて、上りパスロス値を推定して取得することと、
前記上りパスロス値に基づいて、前記目標送信電力を決定することとを含む
ことを特徴とする請求項１〜１４のいずれか１項に記載の無線通信方法。
【請求項１６】
前記ＳＲＳリソースグループが複数のＳＲＳリソースを含み、前記目標送信電力に応じて、前記ＳＲＳリソースグループ内のＳＲＳリソースにおいて、ネットワークデバイスにＳＲＳをそれぞれ送信することは、
前記目標送信電力に応じて、前記ＳＲＳリソースグループ内の異なるＳＲＳリソースにおいて、異なる送信ビームを利用して、前記ネットワークデバイスにＳＲＳをそれぞれ送信することを含む
ことを特徴とする請求項１〜１５のいずれか１項に記載の無線通信方法。
【請求項１７】
前記ＳＲＳリソースグループは、上りビーム管理に使用するＳＲＳリソースグループである
ことを特徴とする請求項１〜１６のいずれか１項に記載の無線通信方法。
【請求項１８】
前記ＳＲＳリソースグループは、１つの非周期ＳＲＳトリガシグナリングによりトリガされる１つのグループの非周期ＳＲＳの伝送を搬送する、又は、
前記ＳＲＳリソースグループは、１つの永続的ＳＲＳアクティブ化シグナリングによりアクティブ化された１つのグループの永続的ＳＲＳの伝送を搬送する
ことを特徴とする請求項１〜１７のいずれか１項に記載の無線通信方法。
【請求項１９】
処理ユニット及び通信ユニットを含む端末デバイスであって、
前記処理ユニットは、前記通信ユニットを利用して請求項１〜１８の方法を実行するように構成される
ことを特徴とする端末デバイス。
【国際調査報告】
2020522160.tif 000008
2020522160.tif 000009
2020522160.tif 000010
2020522160.tif 000011